(57)【要約】【課題】従来の動作ロジック切替装置は、機器コネクタに外部コネクタを接続するだけでなく、スイッチの切替操作等を行わなければ所望の動作ロジックでの動作が行われず、信頼性及び整備性が低くなっている。【解決手段】本発明による動作ロジック切替装置は、接続体７３により各外部端子部７１，７２を選択的に閉成又は開成することにより、外部コネクタ７が機器コネクタ２に接続された際に第１及び第２の開放入力端子部２１，２２が各外部端子部７１，７２の前記閉成及び開成に対応して閉成又は開成され、入力信号生成部５は、前記第１及び第２の開放入力端子部２１，２２の閉成及び開成の組み合わせに応じて第１〜第４の入力信号５ａのいずれかを生成する【選択図】図１
2008278389.tif 000002
【特許請求の範囲】
【請求項１】
複数の動作ロジックで動作可能な機器（１）の前記動作ロジックを切り替えるための動作ロジック切替装置であって、
前記機器（１）に設けられた機器コネクタ（２）と、
前記機器コネクタ（２）に接続されており少なくとも第１〜第４の入力信号（５ａ）を選択的に生成する入力信号生成部（５）と、
前記入力信号生成部（５）に接続されており前記入力信号（５ａ）の入力に応じてロジック設定信号（６ａ）を出力するロジック切替制御部（６）と、
前記機器コネクタ（２）に接続可能な外部コネクタ（７）と、
前記機器コネクタ（２）に設けられ各々一対の入力端子（２０）からなる少なくとも第１及び第２の開放入力端子部（２１，２２）と、
前記外部コネクタ（７）に設けられ各々一対の外部端子（７０）からなる少なくとも第１及び第２の外部端子部（７１，７２）と、
前記各外部端子（７０）間を閉成接続するための接続体（７３）と
を備え、
前記接続体（７３）により前記各外部端子部（７１，７２）を選択的に閉成又は開成することにより、前記外部コネクタ（７）が前記機器コネクタ（２）に接続された際に前記第１及び第２の開放入力端子部（２１，２２）が前記各外部端子部（７１，７２）の前記閉成及び開成に対応して閉成又は開成され、
前記入力信号生成部（５）は、前記第１及び第２の開放入力端子部（２１，２２）の閉成及び開成の組み合わせに応じて前記第１〜第４の入力信号（５ａ）のいずれかを生成することを特徴とする動作ロジック切替装置。
【請求項２】
前記接続体（７３）は、ワイヤからなることを特徴とする請求項１記載の動作ロジック切替装置。
【発明の詳細な説明】
【技術分野】
【０００１】
本発明は、複数の動作ロジックで動作可能な機器の前記動作ロジックを切り替えるための動作ロジック切替装置に関し、特に、接続体により各外部端子部を選択的に閉成又は開成することにより、外部コネクタが機器コネクタに接続された際に第１及び第２の開放入力端子部が前記各外部端子部の前記閉成及び開成に対応して閉成又は開成され、入力信号生成部は、第１及び第２の開放入力端子部の閉成及び開成の組み合わせに応じて第１〜第４の入力信号のいずれかを生成することで、スイッチ操作及び設定を不要とすることができ、信頼性及び整備性を向上できる新規な改良に関するものである。
【背景技術】
【０００２】
社内技術で特に特許出願を行っていないため文献名は挙げていないが、従来用いられていたこの種の動作ロジック切替装置は、図２のように構成されている。図２は、従来の動作ロジック切替装置を示す構成図である。図において、機器１には、機器コネクタ２、第１及び第２の切替スイッチ３，４、入力信号生成部５、及びロジック切替制御部６が設けられている。前記機器コネクタ２には、信号線７ａが設けられた外部コネクタ７が２点鎖線で描かれているように接続される。前記第１及び第２の切替スイッチ３，４は入力信号生成部５に接続されており、この入力信号生成部５は、第１及び第２の切替スイッチ３，４の閉成及び開成の組み合わせに応じて、第１〜第４の入力信号５ａを生成する。
【０００３】
具体的には、入力信号生成部５は、内部電源５０、フォトカプラ等からなる第１及び第２のアイソレーションユニット５１，５２、信号電源５３、第１及び第２のプルアップ抵抗５４，５５を有しており、第１のアイソレーションユニット５１及び第１の切替スイッチ３の直列回路と、第２のアイソレーションユニット５２及び第２の切替スイッチ４の直列回路とが内部電源５０とグラウンドとの間に並列に設けられ、第１のプルアップ抵抗５４及び第１のアイソレーションユニット５１の直列回路と、第２のプルアップ抵抗５５及び第２のアイソレーションユニット５２の直列回路とが信号電源５３とグラウンドとの間に並列に設けられている。そして、第１及び第２の切替スイッチ３，４が閉成された際にロウ電圧が出力され、第１及び第２の切替スイッチ３，４が開成された際にハイ電圧が出力され、これらロウ／ハイの組み合わせから４種類の入力信号５ａが生成される。ロジック切替制御部６は入力された入力信号５ａに応じてロジック設定信号６ａを出力し、機器１の動作ロジックを決定する。すなわち、各切替スイッチ３，４の開閉を切り替えることで、機器１の動作ロジックを切り替えることができるように構成されており、汎用性が持たされている。また、図示はしないが、機能切替専用の制御信号を設け、動作ロジックを遠隔操作により設定できる構成も用いられる。
【発明の開示】
【発明が解決しようとする課題】
【０００４】
上記のような従来の動作ロジック切替装置では、機器コネクタ２に外部コネクタ７を接続するだけでなく、各切替スイッチ３，４の切替操作やロジック切替設定を行わなければ所望の動作ロジックでの動作が行われず、信頼性が低くなっている。また、修理や点検で機器１を代替品に置き換える場合等に各切替スイッチ３，４の切替操作等を正確に行う必要があり、整備性が低くなっている。
【０００５】
本発明は、上記のような課題を解決するためになされたものであり、その目的は、スイッチの切替操作やロジック切替設定を不要とすることができ、信頼性及び整備性を向上できる動作ロジック切替装置を提供することである。
【課題を解決するための手段】
【０００６】
本発明に係る動作ロジック切替装置は、複数の動作ロジックで動作可能な機器の前記動作ロジックを切り替えるための動作ロジック切替装置であって、前記機器に設けられた機器コネクタと、前記機器コネクタに接続されており少なくとも第１〜第４の入力信号を選択的に生成する入力信号生成部と、前記入力信号生成部に接続されており前記入力信号の入力に応じてロジック設定信号を出力するロジック切替制御部と、前記機器コネクタに接続可能な外部コネクタと、前記機器コネクタに設けられ各々一対の入力端子からなる少なくとも第１及び第２の開放入力端子部と、前記外部コネクタに設けられ各々一対の外部端子からなる少なくとも第１及び第２の外部端子部と、前記各外部端子間を閉成接続するための接続体とを備え、前記接続体により前記各外部端子部を選択的に閉成又は開成することにより、前記外部コネクタが前記機器コネクタに接続された際に前記第１及び第２の開放入力端子部が前記各外部端子部の前記閉成及び開成に対応して閉成又は開成され、前記入力信号生成部は、前記第１及び第２の開放入力端子部の閉成及び開成の組み合わせに応じて前記第１〜第４の入力信号のいずれかを生成する構成である。
また、前記接続体はワイヤからなる構成である。
【発明の効果】
【０００７】
本発明の動作ロジック切替装置によれば、前記接続体により前記各外部端子部を選択的に閉成又は開成することにより、前記外部コネクタが前記機器コネクタに接続された際に前記第１及び第２の開放入力端子部が前記各外部端子部の前記閉成及び開成に対応して閉成又は開成され、前記入力信号生成部は、前記第１及び第２の開放入力端子部の閉成及び開成の組み合わせに応じて前記第１〜第４の入力信号のいずれかを生成するので、前記機器コネクタに前記外部コネクタを接続するだけで所望の動作ロジックに切り替えることができ、スイッチ操作及び設定を不要とすることができ、信頼性及び整備性を向上できる。
また、前記接続体はワイヤからなるので、容易に各外部端子部を選択的に閉成又は開成することができ、コストを低減できる。
【発明を実施するための最良の形態】
【０００８】
以下、本発明を実施するための最良の形態について、図面を参照して説明する。
図１は、本発明の実施の形態による動作ロジック切替装置を示す構成図である。なお、従来の動作ロジック切替装置と同一又は同等部分については同一の符号を用いて説明する。図において、機器１には、機器コネクタ２、入力信号生成部５、及びロジック切替制御部６が設けられている。機器コネクタ２には、複数のメス型の入力端子２０が設けられているとともに、各々一対の入力端子２０からなる第１及び第２の開放入力端子部２１，２２が設けられている。各開放入力端子部２１，２２には入力信号生成部５が接続されており、この入力信号生成部５は各開放入力端子部２１，２２の閉成及び開成の組み合わせに応じて、第１〜第４の入力信号５ａを生成する。
【０００９】
具体的には、入力信号生成部５は、内部電源５０、フォトカプラ等からなる第１及び第２のアイソレーションユニット５１，５２、信号電源５３、第１及び第２のプルアップ抵抗５４，５５を有しており、第１のアイソレーションユニット５１及び第１の開放入力端子部２１の直列回路と、第２のアイソレーションユニット５２及び第２の開放入力端子部２２の直列回路とが内部電源５０とグラウンドとの間に並列に設けられ、第１のプルアップ抵抗５４及び第１のアイソレーションユニット５１の直列回路と、第２のプルアップ抵抗５５及び第２のアイソレーションユニット５２の直列回路とが信号電源５３とグラウンドとの間に並列に設けられている。そして、前記第１及び第２の開放入力端子部２１，２２が閉成された際にロウ電圧が出力され、第１及び第２の開放入力端子部２１，２２が開成された際にハイ電圧が出力され、これらロウ／ハイの組み合わせから４種類の入力信号５ａが生成される。ロジック切替制御部６は入力された入力信号５ａに応じてロジック設定信号６ａを出力し、機器１の動作ロジックを決定する。
【００１０】
前記機器コネクタ２には、信号線７ａが設けられた外部コネクタ７が２点鎖線で描かれているように接続される。この機器コネクタ２に対して着脱自在な外部コネクタ７には、複数のオス型の外部端子７０が設けられているとともに、各々一対の外部端子７０からなる第１及び第２の外部端子部７１，７２が設けられている。図１では第１の外部端子部７１がジャンパー線等の柔軟なワイヤからなる接続体７３によって閉成接続されており、この外部コネクタ７が前記機器コネクタ２に接続されることで、前記第１の開放入力端子部２１が閉成され、所定の入力信号５ａがロジック切替制御部６に入力される。
【００１１】
すなわち、前記接続体７３により前記各外部端子部７１，７２を選択的に閉成又は開成することにより、前記外部コネクタ７が前記機器コネクタ２に接続された際に前記第１及び第２の開放入力端子部２１，２２が前記各外部端子部７１，７２の前記閉成及び開成に対応して閉成又は開成され、この閉成及び開成の組み合わせにより所定の入力信号５ａがロジック切替制御部６に入力される。つまり、前記機器コネクタ２に前記外部コネクタ７を接続するだけで所望の動作ロジックに切り替えることができ、前述のスイッチ操作及び設定を不要とすることができ、信頼性及び整備性を向上できる。換言すると、この発明は、接続する外部コネクタ７によって機器１の動作モードを固定すべき環境に特に有効である。なお、信号線７ａの信号を機器１に入力するための端子部は、図示はしていないが前記開放入力端子部２１，２２及び前記外部端子部７１，７２の他に設けられている。
【００１２】
なお、実施の形態では、開放入力端子部２１，２２及び外部端子部７１，７２が２つずつ設けられ４種類の入力信号５ａが生成されると説明したが、各端子部が３つ以上ずつ設けられ８種類以上の入力信号が生成されてもよい。また、接続体７３は柔軟なワイヤからなると説明したが、例えばＵ字型の金属片等から構成されていてもよい。
【図面の簡単な説明】
【００１３】
【図１】本発明の実施の形態による動作ロジック切替装置を示す構成図である。
【図２】従来の動作ロジック切替装置を示す構成図である。
【符号の説明】
【００１４】
１  機器
２  機器コネクタ
５  入力信号生成部
５ａ  第１〜第４の入力信号
６  ロジック切替制御部
６ａ  ロジック設定信号
７  外部コネクタ
２１，２２  第１及び第２の開放入力端子部
７０  外部端子
７１，７２  第１及び第２の外部端子部
７３  接続体
【図１】
2008278389.tif 000003
【図２】
2008278389.tif 000004